(57)【要約】      （修正有）【課題】汎用のトリガー式噴出器を活用した壁紙を貼るときに使用する糊の供給器を提供する。【解決手段】注射針状のノズル部材１５をノズルキャップ５に取り付けるための取付孔がノズルキャップ５の前面部６に設けられ、且つ嵌合孔２０を有する補助部材１９がノズルキャップ５の前面部６の外面に接着され、前記取付孔及び嵌合孔２０を通って針管１６がノズルキャップ５の前面部６から突出するようにノズル部材１５が一杯に挿入され、それによりノズル部材１５の針管取付基部１７が取付孔及び嵌合孔２０に嵌合すると共に針管取付基部１７の端部に設けられたフランジ１８がノズルキャップの前面部６の内面に当接し、且つ一杯に挿入されたノズル部材１５がノズルキャップ５に対して後退することを防止するための手段を備えている【選択図】図２
0003163870.tif 000002
【実用新案登録請求の範囲】
【請求項１】
液体を収容する液体容器と、液体容器から吸引した液体を噴出する噴出装置から成り、外周が螺装された螺装筒が噴出装置の前面上部から前方に突出するように設けられ、前面部にノズル孔を有する筒状のノズルキャップが前記螺装筒外部に回動可能に且つ着脱可能に螺着され、ノズルキャップを回動することにより液体の噴出の調節ができるトリガー式噴出器を利用した糊の供給器であって、注射針状のノズル部材をノズルキャップに取り付けるための取付孔がノズルキャップの前面部に設けられ、且つ嵌合孔を有する補助部材がノズルキャップの前面部の外面に接着され、前記取付孔及び嵌合孔を通って針管がノズルキャップの前面部から突出するようにノズル部材が一杯に挿入され、それによりノズル部材の針管取付基部が取付孔及び嵌合孔に嵌合すると共に針管取付基部の端部に設けられたフランジがノズルキャップの前面部の内面に当接し、且つ一杯に挿入されたノズル部材がノズルキャップに対して後退することを防止するための手段を備えていることを特徴とする糊の供給器。
【請求項２】
補助部材を接着するノズルキャップの前面部の外面が平面になるように研削されている請求項１記載の糊の供給器。
【請求項３】
一杯に挿入されたノズル部材がノズルキャップに対して後退することを防止するための手段は、ノズル部材の針管取付基部と取付孔の嵌合を無理嵌めとし、その圧接による摩擦力でノズル部材をノズルキャップに固定する構成である請求項１又は請求項２記載の糊の供給器。
【請求項４】
一杯に挿入されたノズル部材がノズルキャップに対して後退することを防止するための手段は、ノズルキャップの前面部の内面にノズル部材のフランジが当接することで生じるフランジ周囲の凹所に接着剤を入れることにより、ノズル部材をノズルキャップに固定する構成である請求項１乃至請求項３のいずれか一項記載の糊の供給器。
【請求項５】
一杯に挿入されたノズル部材がノズルキャップに対して後退することを防止するための手段は、補助部材の嵌合孔と、その嵌合孔の内面に対向する針管取付基部との間に接着剤を入れることにより、ノズル部材をノズルキャップに固定する構成である請求項１乃至請求項４のいずれか一項記載の糊の供給器。
【考案の詳細な説明】
【技術分野】
【０００１】
本考案は、主に、壁紙職人が壁紙を貼るときに使用する糊の供給器に関する。
【背景技術】
【０００２】
壁に壁紙を貼るときに壁と壁紙の間に空気が残って空洞を生じることが少なからずあり、そのままでは壁紙が浮いてしまうことになる。そこで、従来から、空洞が生じた場合は糊が乾く前に刷毛やローラーを動かして空気を外側に追い出していた。しかし、大きい壁紙の中央に生じた空洞の空気を刷毛やローラーで完全に追い出すことは困難を伴う。また、糊が乾いてしまうと空気を移動させることができないから空洞を取り除くことができないし、糊が半乾きの状態にあるときは空気を円滑に移動させることができないから空洞を完全に取り除くことができない。
【０００３】
そこで、空洞を生じさせたときに、その空洞を取り除き浮いている壁紙を壁に糊付けするために、注射針状のノズルを使用した噴出器状の糊の供給器が考えられる。この供給器を使用するときは、まず、空洞が生じ浮いている壁紙にノズルの針先を差し込んで小さな孔をあけ、次いでそのノズルを引き抜いてから浮いている壁紙を圧迫して孔から空洞の空気を抜く。次に、再度ノズルの針先を壁紙の同じ場所に差し込み、ノズルから糊を出して糊を壁と壁紙の間に糊を供給する。そして、その部分の壁紙を壁に押し付けることにより空洞を取り除いて壁紙を貼ることができる。
【０００４】
そのようなトリガー式噴出器状の糊の供給器は、壁紙を壁に貼り付けたときに生じる空洞を簡単に取り除いて壁紙を壁に貼ることができる。ただし、この噴出器状の糊の供給器を製造するためには、注射針を取り付けた噴出装置が必要であり、この噴出装置を容器の口に取り付けなければならない。そのために新たな噴出装置を製造するための金型が必要であり、大きな費用の負担を強いられる。
【先行技術文献】
【特許文献】
【０００５】
【特許文献１】実開昭５０−１２７００７号公報
【考案の概要】
【考案が解決しようとする課題】
【０００６】
注射針を利用した噴出器状の糊の供給器を製造するためには新たな金型が必要になり大きな費用の負担を強いられる。
【課題を解決するための手段】
【０００７】
本考案の請求項１は、液体を収容する液体容器と、液体容器から吸引した液体を噴出する噴出装置から成り、外周が螺装された螺装筒が噴出装置の前面上部から前方に突出するように設けられ、前面部にノズル孔を有する筒状のノズルキャップが前記螺装筒外部に回動可能に且つ着脱可能に螺着され、ノズルキャップを回動することにより液体の噴出の調節ができるトリガー式噴出器を利用した糊の供給器であって、注射針状のノズル部材をノズルキャップに取り付けるための取付孔がノズルキャップの前面部に設けられ、且つ嵌合孔を有する補助部材がノズルキャップの前面部の外面に接着され、前記取付孔及び嵌合孔を通って針管がノズルキャップの前面部から突出するようにノズル部材が一杯に挿入され、それによりノズル部材の針管取付基部が取付孔及び嵌合孔に嵌合すると共に針管取付基部の端部に設けられたフランジがノズルキャップ前面部の内面に当接し、且つ一杯に挿入されたノズル部材がノズルキャップに対して後退することを防止するための手段を備えている構成である。
【０００８】
請求項２は、補助部材を接着するノズルキャップの前面部の外面が平面になるように研削されている構成である。
【０００９】
請求項３は、一杯に挿入されたノズル部材がノズルキャップに対して後退することを防止するための手段が、ノズル部材の針管取付基部と取付孔の嵌合を無理嵌めとし、その圧接による摩擦力でノズル部材をノズルキャップに固定する構成である。
【００１０】
請求項４は、一杯に挿入されたノズル部材がノズルキャップに対して後退することを防止するための手段が、ノズルキャップの前面部の内面にノズル部材のフランジが当接することで生じるフランジ周囲の凹所に接着剤を入れることにより、ノズル部材をノズルキャップに固定する構成である。
【００１１】
請求項５は、一杯に挿入されたノズル部材がノズルキャップに対して後退することを防止するための手段は、補助部材の嵌合孔と、その嵌合孔の内面に対向する針管取付基部との間に接着剤を入れることにより、ノズル部材をノズルキャップに固定する構成である。
【考案の効果】
【００１２】
請求項１は、トリガー式噴出器を利用した糊の供給器であって、注射針状のノズル部材をノズルキャップに取り付けるための取付孔がノズルキャップの前面部に設けられ、且つ嵌合孔を有する補助部材がノズルキャップの前面部の外面に接着され、前記取付孔及び嵌合孔を通って針管がノズルキャップの前面部から突出するようにノズル部材が一杯に挿入され、それによりノズル部材の針管取付基部が取付孔及び嵌合孔に嵌合すると共に針管取付基部の端部に設けられたフランジがノズルキャップ前面部の内面に当接し、且つ一杯に挿入されたノズル部材がノズルキャップに対して後退することを防止するための手段を備えている構成である。したがって、前記のトリガー式噴出器は１００円ショップでも販売されており、業者を通して非常に安い値段で用意することができる。また、注射針状のノズル部材は注射針をそのまま使用すればよいので、独自の注射針状ノズルを製造するよりもコストを非常に低く抑えることができる。
【００１３】
しかし、そうだからといって、市販されている噴出器のノズルキャップの前面部に注射針取り付けるための取付孔を設けて、その取付孔を通って針管がノズルキャップの前面部から突出するように注射針を一杯に挿入しただけでは壁紙用の糊の供給器として使用することができない。また、一杯に挿入された注射針がノズルキャップに対して後退しないように接着させても同様に供給器として使用することができない。なぜならば、注射針を支えているノズルキャップの前面部は、市販のものでは比較的薄く形成されているので注射針が揺動してしまうのである。注射針の針管が太めのもの、例えば点滴用の注射針を使用すれば針管が撓むことはないが、注射針自体が揺動するので使いづらいのである。
【００１４】
そこで、嵌合孔を有する補助部材をノズルキャップの前面部の外面に接着し、ノズル部材の針管取付基部をこの嵌合孔に嵌合させる構成としたのである。これにより、補助部材の作用でノズルキャップの前面部が変形することを防止できるから、注射針が揺動することを防止できる。また、ノズル部材の針管取付基部が補助部材の嵌合孔に嵌合しているので、針管取付基部の周面が補助部材によってカバーされ、より確実にノズル部材を支えることができる。さらに、補助部材は小さな部材であってプラスチックなどで容易且つ安価に形成することができるので、わずかなコスト増で済む。
【００１５】
請求項２は、補助部材を接着するノズルキャップの前面部の外面が平面になるように研削されている。市販の噴出器のノズルキャップの前面には浅い凹部が形成され、その凹部に文字が書かれている。したがって、補助部材を強固に接着することができない。そこで、前面部の外面を平面になるように研削するのである。研削はグラインダーなどで容易に行うことができ、ほとんどコストを要しない。
【００１６】
請求項４は、一杯に挿入されたノズル部材がノズルキャップに対して後退することを防止するための手段は、ノズルキャップの前面部の内面にノズル部材のフランジが当接することで生じるフランジ周囲の凹所に接着剤を入れることにより、ノズル部材をノズルキャップに固定する構成である。したがって、フランジの外周が全周に亘り接着剤で固定されるので、ノズル部材の後退を確実に防止できる。
【図面の簡単な説明】
【００１７】
【図１】本考案の噴出装置を示す正面図
【図２】本考案の噴出装置のノズル部分の一部断面図
【図３】市販されている噴出器の噴出装置の正面図
【図４】市販されている噴出装置の断面図
【図５】市販されている噴出装置のノズルキャップの前面図
【図６】図５のノズルキャップの前面部を平らに研削した状態を示す前面図
【図７】注射針であるノズル部材の正面図
【図８】補助部材の斜視図
【考案を実施するための形態】
【００１８】
糊の供給器の実施形態について図面を参照して説明する。本考案の供給器は、市販されているトリガー式噴出器と注射針により組み立てられる。すなわち、本願考案における注射針状のノズル部材は市販されている注射針である。
【００１９】
図３は、市販されているトリガー式噴出器の頭部を示す正面図である。図４に示すように、射出装置１が容器２の口３に螺着されている。噴出装置１の前面上部から螺装筒４が前方に突出するように設けられている。螺装筒４には筒状のノズルキャップ５が回動可能に且つ着脱可能に螺着されている。ノズルキャップ５の前面部６にはノズル孔７が設けられている。
【００２０】
トリガー８を引くと、ピストン９が移動しボール弁１０が通路１１を塞ぎ、摺動弁１２が前方に摺動し、ポンプ室１３内の液体をノズル孔７から噴出させる。トリガー８を元に戻すと、摺動弁１２は後方に摺動して通路１４を塞ぎ、ボール弁１０が浮いて通路１１を介して液体がポンプ室１３に吸引される。摺動弁１２の内部に空洞（図示せず。）を設け、その空洞にコイルばね（図示せず。）を取り付けて、そのコイルばねで摺動弁が弾性的に前方に付勢されている噴出器もある。
【００２１】
ノズルキャップ５を回動することにより液体の噴出の調節ができる。例えば、噴出する液体を霧状にしたりストレートにしたり、噴出量を変化させたりすることができる。
【００２２】
本願考案に用いる市販されているトリガー式噴出器はこのような構造に限定されないが、少なくとも螺装筒４にノズルキャップ５が回動可能に螺着されていることが必要である。
【００２３】
図７は、本願考案の注射針状のノズル部材１５であり、市販されている注射針である。安定した作業をするために針管１６は太いものが好ましく、例えば点滴用の注射針を用いることが好ましい。針管１６はプラスチック製の針管取付基部１７に取り付けられている。針管取付基部１７の端部にフランジ１８が設けられている。
【００２４】
前述の市販されているトリガー式噴出器と、市販されている注射針であるノズル部材１５を用いて本願考案を組み立てる方法について説明する。本願考案を組み立てるときは、図８に示す補助部材１９が必要である。補助部材１９はプラスチックで円板状に形成され、その中央にノズル部材１５の針管取付基部１７と嵌合させるための嵌合孔２０が設けられている。本考案の補助部材１９の材料はプラスチックに限定されるものでなく、また、形状も円板状に限定されるものでない。補助部材１９は小さな部材であって簡単な構造であるからきわめて安価に製造できる。補助部材１９の厚みは、ノズルキャップ５の前面部６の最小厚み以上であることが好ましいがこれに限定されるものではない。
【００２５】
本願考案の供給器を組み立てるには、まずノズルキャップ５の前面部７の中央に取付孔２２をドリルなどで穿設する。取付孔２２の大きさは、ノズル部材１５の針管取付基部１７がきつく嵌る程度が好ましい。次に、この補助部材１９をノズルキャップ５の前面部６の外面２１に接着剤で接着する。接着する前にその外面２１をグラインダーなどで図６に示すように平面になるまで研削する。なぜならば、図４及び図５に示すように、市販されているトリガー式噴出器のノズルキャップ５の外面２１には多くの場合凹部が形成され、その部分に浮き出し文字が設けられているので、補助部材１９を確実に接着できないからである。
【００２６】
補助部材１９がノズルキャップ５の前面部６の外面２１に接着したら、針管１６を先頭にノズル部材１５をノズルキャップ５の後端開口から入れ、図２に示すようにフランジ１８がノズルキャップ５の前面部６の内面に当接するまで一杯に押す。次に、針管１６が下を向くようにノズルキャップ５を手に持って、ノズルキャップ５の前面部６の内面にノズル部材１５のフランジ１８が当接することで生じるフランジ周囲の凹所２５に接着剤２３を注入する。この接着剤２３によってノズル部材１５はノズルキャップ５に固定されるので、ノズル部材１５がノズルキャップ５に対して後方に移動することを防止できる。また、取付孔２２の大きさをノズル部材１５の針管取付基部１７がきつく嵌る程度にしたときは、接着剤２３を用いなくともノズル部材１５がノズルキャップ５に対して後方に移動することを防止できる。補助部材１９がノズルキャップ５の前面部６の外面２１に接着することで、作業時に前面部６が撓むことを防止できる。また、補助部材１９の嵌合孔２０の大きさは、ノズル部材１５の針管取付基部１７の表面との間に隙間はほとんど生じない程度が好ましいが、わずかでも隙間を生じたときはその隙間に接着剤を注入してもよい。これにより、ノズル部材１５の針管取付基部１７の表面が補助部材１９でしっかりとガードされる。すなわち、補助部材１９がないと、ノズル部材１５はノズルキャップ５の薄い前面部６のみでガードされるだけなので不安定となるが、補助部材１９を使用することによってガードする面積が広くなるのでノズル部材１５は安定するのである。
【００２７】
次に、トリガー噴出器の吸液管２４の端部に装着されているフィルター部材（図示せず。）を取り外す。本願考案は糊の供給器であり、糊を円滑に供給するために粘性率の小さい糊が使用されるが、それでもフィルター部材を残しておくと糊を円滑に供給できないからである。そして、射出装置１を容器２の口３に螺着して組立が完成する。
【産業上の利用可能性】
【００２８】
市販されているトリガー式噴出器と注射針、及び簡単な構造の補助部材のみで糊の供給器を安価且つ容易に組み立てることができる。
【符号の説明】
【００２９】
１  射出装置
２  容器
３  容器の口
４  螺装筒
５  ノズルキャップ
６  前面部
７  ノズル孔
８  トリガー
９  ピストン
１０  ボール弁
１１  通路
１２  摺動弁
１３  ポンプ室
１４  通路
１５  ノズル部材
１６  針管
１７  針管取付基部
１８  フランジ
１９  補助部材
２０  嵌合孔
２１  前面部の外面
２２  取付孔
２３  接着剤
２４  吸液管
２５  凹所
【図１】
0003163870.tif 000003
【図２】
0003163870.tif 000004
【図３】
0003163870.tif 000005
【図４】
0003163870.tif 000006
【図５】
0003163870.tif 000007
【図６】
0003163870.tif 000008
【図７】
0003163870.tif 000009
【図８】
0003163870.tif 000010